(57)【要約】【課題】所望の混合割合になる混合物を安定的に注出できるトリガ式注出器を提案する。【解決手段】トリガの牽曳にてシリンダ内のピストンを往復移動させて種類の異なる内容物を各容器からそれぞれ同時に吸引するとともに加圧、混合して注出する注出器において、容器内の内容物を吸引、加圧する少なくとも２本のシリンダと、これらのシリンダ内でそれぞれ同時に往復移動可能なピストンとを備え、前記シリンダに、内容物を充填した容器の口部にそれぞれつながる吸引通路と、各シリンダにて加圧された内容物をノズルに向けて排出する単一の排出通路を連結する。【選択図】　　　　図１
2004082066.tif 000002
【特許請求の範囲】
【請求項１】
トリガの牽曳にてシリンダ内のピストンを往復移動させて種類の異なる内容物を各容器からそれぞれ同時に吸引するとともに加圧、混合して注出する注出器であって、
容器内の内容物を吸引、加圧する少なくとも２本のシリンダと、これらのシリンダ内でそれぞれ同時に往復移動可能なピストンとを備え、
前記シリンダに、内容物を充填した容器の口部にそれぞれつながる吸引通路と、各シリンダにて加圧された内容物をノズルに向けて排出する単一の排出通路を連結してなることを特徴とするトリガ式注出器。
【請求項２】
ピストンの後端面に接触して該ピストンのシリンダ内における移動量を規制して内容物の注出量を変更する注出量調整ロッドを有する請求項１記載のトリガ式注出器。
【発明の詳細な説明】
【０００１】
【発明の属する技術分野】
本発明は各容器内に充填された種類の異なる内容物をトリガの牽曳によってそれぞれ同時に吸引、加圧、混合して注出するトリガ式注出器に関するものである。
【０００２】
【従来の技術】
接着剤等の日用品や毛染め液等の化粧料では、種類の異なる薬剤を、使用する直前に混合するタイプのものがあり、このような内容物の注出に当たっては、均一な混合と効率的な注出ができるようにポンプやエアゾール、あるいはトリガの牽曳によりピストンを駆動させてシリンダ内に内容物を吸引、加圧、混合して排出するガンタイプの注出器が使用されている。
【０００３】
ところで、従来のガンタイプの注出器は、容器から内容物を注出する際にピストンの駆動にずれが生じることもあって均等に内容物を排出できない不具合がある。
【０００４】
また、この種の注出器はトリガの一回当たりの牽曳によって注出される内容物の量は常に一定しており注出量の調整ができないことから内容物を無駄に排出してしまう場合もあり、使い勝手がよくないところに問題を残している。
【０００５】
【発明が解決しようとする課題】
本発明の課題は、各容器から同等量の内容物を吸引、加圧して望ましい混合割合になる混合物を安定的に注出するとともに、内容物の注出量を適宜に調整できる新規なトリガ式注出器を提案するところにある。
【０００６】
【課題を解決するための手段】
本発明は、トリガの牽曳にてシリンダ内のピストンを往復移動させて種類の異なる内容物を充填する各容器からそれぞれ同時に吸引、加圧、混合して注出する注出器であって、
容器内の内容物を吸引、加圧する少なくとも２本のシリンダと、これらのシリンダ内でそれぞれ同時に往復移動可能なピストンとを備え、
前記シリンダに、内容物を充填した容器の口部にそれぞれつながる吸引通路と各シリンダにて加圧された内容物をノズルに向けて排出する単一の排出通路を連結してなることを特徴とするトリガ式注出器である。
【０００７】
上記の構成になるトリガ式注出器において、ピストンの後端面に接触して該ピストンのシリンダ内における移動量を規制して内容物の注出量を変更する注出量調整ロッドを設けることができる。
【０００８】
【発明の実施の形態】
以下、図面を用いて本発明をより具体的に説明する。
【０００９】
図１〜３は、本発明に従うトリガ式注出器を２液混合タイプの例で示したものであり、図において１ａ、１ｂは種類の異なる内容物を充填した容器（薄肉で減容可能なレフィル容器等）、２は容器１ａ、１ｂを装着、保持する注出器本体である。この注出器本体２はグリップ２ａを有し容器１ａ、１ｂを装着、保持した状態で該容器１ａ、１ｂを覆い隠す揺動式のカバー２ｂを備えている。
【００１０】
また、３ａ、３ｂは注出器本体２内に設けられた一対のシリンダであり、このシリンダ３ａ、３ｂは容器１ａ、１ｂのそれぞれの口部につながる吸引通路４ａ、４ｂとこの吸引通路４ａ、４ｂを通して導入された内容物を加圧して排出する単一の排出通路５を有している。
【００１１】
また、６は吸引通路４ａ、４ｂ及び排出通路５のそれぞれに配置された３点弁、７は排出経路５につながるノズル、８はノズル７の内側に配置され２種類の内容物を均一に混合するスクリュ型のミキサー、９ａ、９ｂはシリンダ３ａ、３ｂ内にて摺動するピストン、１０は注出器本体２に設けられた枢支ピン２ｃを支点にして牽曳可能に保持されその作用点ｐをピストン９ａ、９ｂの後端部のピン１１ａ、１１ｂに係合させたトリガ、そして１２はピストン９ａ、９ｂの後端面に接触して該ピストン９ａ、９ｂのシリンダ内における移動量を調整して内容物の注出量を変更する注出量調整ロッドである。
【００１２】
注出器本体２のグリップ２ａを把持してトリガ１０を複数回にわたり繰返し牽曳するとピストン９ａ、９ｂはシリンダ３ａ、３ｂ内にてそれぞれ同時に往復移動し、これにより、容器１ａ、１ｂ内の内容物は吸引通路４ａ、４ｂを経てシリンダ３ａ、３ｂに吸引されるとともに、吸引された内容物はシリンダ３ａ、３ｂ内で加圧されて、排出通路５、ミキサー８を経てノズル７の先端から連続的に注出されることになる。
【００１３】
上記の構成になる注出器においては、注出量調整手段１２を回転させてノズル７に向けて移動させるとピストン９ａ、９ｂはシリンダ３ａ、３ｂ内においてノズル７に向けて押圧されてトリガ１０の牽曳の際のピストン９ａ、９ｂの移動量が小さくなる（注出量が小）。
【００１４】
一方、注出量調整手段１２を逆回転させるとピストン９ａ、９ｂはシリンダ２内においてノズル５から離れる向きに移動することとなり、これによってトリガ１０を牽曳したときのピストン９ａ、９ｂの移動量が大きくなる（注出量が大）。
【００１５】
上掲図１〜３では、容器１としてレフィル容器を適用する場合を例として示したが、図４〜６に示すように容器１は内層が外層の内壁面より剥離、減容するデラミ容器を用いることもできる。
【００１６】
本発明ではその実施の形態として内容物を充填した容器を２本装着した２液混合タイプの注出器を例として示したが、シリンダとピストンの数を追加することで複数種類の内容物の混合、注出も可能であって２液混合する場合にのみ限定されない。また、容器は水平に並列配置してもよいし、縦に並列配置してもよくこの点に関しても限定されることはない。
【００１７】
とくに上掲図１〜３に示したようなレフィル容器を備えたものにおいては、該容器を内装する外筒が必要になるので、例えばレフィル容器を取り外すか、該レフィル容器を外筒内で逆向きにセット（予め外筒の底部にレフィル容器の口部に嵌合する凸部を設けておく）し、外筒内に水等を充填してトリガを牽曳することで、内容物が通る通路やノズル内を簡単に洗浄できる。
【００１８】
また、ミキサー８のみを洗浄するに際しては、ノズル５を取り外してノズル５の先端あるいは後端に向けて該ミキサー８を押し出すことで容易に分解することができるようにしておくのが望ましく、ノズル５を取り外した状態で注出器を収納しておくような場合には、図７に示すようなパッキンＰ付きのノズル用替えキャップ１３を装着しておくことができ、これにより内容物の乾燥、固化を容易に防止することが可能になる。
【００１９】
【発明の効果】
本発明によれば、トリガの牽曳に際して複数本のピストンを同時に駆動できるので内容物を容器から均等に排出することが可能であり、所定の混合割合になる混合物を安定して注出できる。
【００２０】
また、本発明によれば、ピストンの動駆動機構はその本数にかかわりなく共有できるので部品点数の削減が可能であり注出器のコンパクト化が可能である。
【００２１】
さらに本発明によれば、ロッドのねじ込み量を調整するだけで注出量を調整できるので内容物を無駄なく使用でき使い勝手が格段に改善される。
【図面の簡単な説明】
【図１】本発明に従う注出器の側面を示した図である。
【図２】図１の平面図である。
【図３】図１の正面図である。
【図４】本発明に従う注出器の他の実施の形態を示した図である。
【図５】図４の平面図である。
【図６】図４の正面図である。
【図７】ノズル用替えキャップを示した図である。
【符号の説明】
１ａ　容器
１ｂ　容器
２　注出器本体
２ａ　グリップ
２ｂ　カバー
３ａ　シリンダ
３ｂ　シリンダ
４ａ　吸引通路
４ｂ　吸引通路
５　排出通路
６　３点弁
７　ノズル
８　ミキサー
９ａ　ピストン
９ｂ　ピストン
１０　トリガ
１１ａ　ピン
１１ｂ　ピン
１２　注出量調整手段
１３　ノズル用替えキャップ
Ｐ　パッキン
【図１】
2004082066.tif 000003
【図２】
2004082066.tif 000004
【図３】
2004082066.tif 000005
【図４】
2004082066.tif 000006
【図５】
2004082066.tif 000007
【図６】
2004082066.tif 000008
【図７】
2004082066.tif 000009